(57)【特許請求の範囲】
【請求項１】
筐体に収容された電源に給電するためのバッテリコネクタを備えた携帯端末であって、
前記バッテリコネクタは、
前記筐体内の回路基板に導通する導通端子と、
前記導通端子に接触する接点板と、前記接点板の縁部を保持する保持部材とを備え、
前記接点板および前記保持部材は前記バッテリコネクタに着脱可能に保持されるとともに、前記接点板は他の部品の接点端子と接触可能に露出するよう構成したことを特徴とする携帯端末。
【請求項２】
前記導通端子が前記接点板に対して弾性接触するバネ部を有することを特徴とする請求項１に記載の携帯端末。
【請求項３】
前記保持部材が、前記接点板における少なくとも片面の縁部を覆う枠形状であることを特徴とする請求項１または２に記載の携帯端末。
【発明の詳細な説明】
【技術分野】
【０００１】
本発明は、筐体に収容された電源に給電するためのバッテリコネクタを備えた携帯端末に関する。
【背景技術】
【０００２】
携帯電話等の携帯端末のなかには、第１筐体および第２筐体を携帯状態から伸長状態まで連結部を介して開閉自在に連結し備えた折畳み式の携帯端末がある。
このような携帯端末は、第１筐体に表示部および表示部の上方にレシーバを備え、第２筐体に複数の操作キーからなる操作キー部および操作キー部の下方に送話部を備えるとともに、第２筐体の上部角部から突出可能なアンテナを備えている。
【０００３】
また、この携帯端末は、第２筐体に収容された電源に給電するためのバッテリコネクタを備える。バッテリコネクタは、第２筐体に収容された回路基板に絶縁性の本体が固定され、この本体に第２コンタクト（導通端子）が支持され、支持された導通端子が第２筐体内の回路基板に導通され、この導通端子のバネ部に第１コンタクト（接点板）が弾性接触されている。
【０００４】
導通端子に接触された接点板は、本体に保持されるとともに、外部の接点端子に接触可能に外部露出されている。
外部露出されている部位を、外部の接点端子に接触することで、接点板、導通端子、回路基板および給電端子を経て電源に電気的に接続して給電する（例えば、特許文献１）。
【特許文献１】特開２００５−５０９７号公報
【発明の開示】
【発明が解決しようとする課題】
【０００５】
ところで、携帯端末に取り付けた接点板に傷等が生じた場合、接点板を本体から脱着させて新たな接点板と交換する必要がある。
しかし、接点板は端子単体であり、剥き出し状態で極小な形状なので、交換する際に脱着し難く、かつ、接点板自体を変形させる虞がある。
以上のような問題は、折畳み式の携帯電話についてのみ生ずる問題ではなく、ストレートタイプの携帯電話や、複数の筐体がスライド式、回転式により伸長配置される携帯電話、あるいは電話機能を備えない携帯端末全般に生ずるものである。
【０００６】
本発明は、前述した不都合を解消するためになされたものであり、その目的は、接点板を交換する際の脱着作業性を向上できるとともに、接点板に変形等が生じ難い携帯端末を提供することにある。
【課題を解決するための手段】
【０００７】
本発明の携帯端末は、筐体に収容された電源に給電するためのバッテリコネクタを備えた携帯端末であって、前記バッテリコネクタは、前記筐体内の回路基板に導通する導通端子と、前記導通端子に接触する接点板と、前記接点板の縁部を保持する保持部材とを備え、前記接点板および前記保持部材は前記バッテリコネクタに着脱可能に保持されるとともに、前記接点板は他の部品の接点端子と接触可能に露出するよう構成したことを特徴とする。
【０００８】
接点板の縁部を保持部材で保持することで、接点板を掴みやすくできる。これにより、接点板を交換する際に、接点板を本体から容易に取り外すことができ、新たな接点板を本体に容易に取り付けることができる。
さらに、接点板の縁部を保持部材で保持することで、接点板の縁部を保持部材で補強して、接点板の強度を高めることができる。
【０００９】
さらに、本発明は、前記導通端子が前記接点板に対して弾性接触するバネ部を有することを特徴とする。
導通端子が接点板に対してバネ部を介して弾性接触するため、導通端子および接点板の導通状態を確実に維持できるとともに、接点板を交換した後にも導通状態を確実に回復できる。
【００１０】
また、本発明は、前記保持部材が、前記接点板における少なくとも片面の縁部を覆う枠形状であることを特徴とする。
【００１１】
保持部材を枠形状に形成し、枠形状の保持部材で、接点板における少なくとも片面の縁部を覆う。これにより、接点板を一層掴みやすくするとともに、接点板の強度を一層高めることができる。
【発明の効果】
【００１２】
本発明によれば、接点板の縁部を保持部材で保持して接点板を掴みやすくすることで、接点板を交換する際の脱着作業性を向上できるという効果を有する。
さらに、接点板の縁部を保持部材で保持して接点板の強度を高めることで、接点板に変形等が生じ難くできるという効果を有する。
【発明を実施するための最良の形態】
【００１３】
（第１実施形態）
図１に示すように、第１実施形態の携帯端末１０は、上筐体１１および下筐体（筐体）１２を連結部１３を介して携帯状態から伸長状態まで開閉自在に連結し、上筐体１１に表示部１４を備え、表示部１４の上方にレシーバ１５を備え、下筐体１２に複数の操作キー１６Ａからなる操作キー部１６を備え、操作キー部１６の下方に送話部１７を備えた折畳み式の携帯電話である。
なお、本発明は、ストレートタイプの携帯電話や、複数の筐体がスライド式、回転式により伸長配置される携帯電話、あるいは電話機能を備えない携帯端末全般に適用可能である。
【００１４】
この携帯端末１０は、下筐体１２に電源（図示せず）が収容され、この電源に給電するためのバッテリコネクタ２０が下筐体１２の下部１２Ａに収容されている。バッテリコネクタ２０は、下筐体１２の下部１２Ａに左右の給電端子部２１，２２を備え、左右の給電端子部２１，２２のうち、一方が正極給電端子部、他方が負極給電端子部を構成する。
なお、左右の給電端子部２１，２２は、左右対称の部材であり、以下、左給電端子部２１について説明して右給電端子部２２の説明を省略する。
【００１５】
図２に示すように、左給電端子部２１は、下筐体１２内に収容された回路基板２５に固定された絶縁性の本体２６と、本体２６に支持されて回路基板２５に導通する導通端子２７と、導通端子２７に接触するとともに外部露出し、かつ、外部の接点端子２９に接触可能な接点部材（具体的には、接点板３２）３１とを備える。
下筐体１２は裏カバー１２Ｂと表カバー１２Ｃとからなり、内部空間３０を形成する。
外部の接点端子２９は、図示しない置台の接点端子である。
【００１６】
図２、図３に示すように、絶縁性の本体２６は、回路基板２５の表面２５Ａに固定され、導通端子２７を収納する端子収納部３５と、接点部材３１を収納する接点部材収納部３６（図３参照）とを備える。
接点部材収納部３６は、端子収納部３５に連通するとともに外部に連通し、左右の側部３６Ａ，３６Ｂに左右のガイド溝３８，３９がそれぞれ形成されている。
【００１７】
図２に示すように、導通端子２７は、下端部２７Ａが回路基板２５に半田２８で固定され、下端部２７ａから上方に延びたバネ部４１を有する。バネ部４１は、本体２６の端子収納部３５内に収納されている。
バネ部４１は、接触部位４１Ａが端子収納部３５内から接点板３２に向けて突出され、接点板３２に対して弾性変形することで接触部位４１Ａが接点板３２に弾性接触する。
【００１８】
図３、図４に示すように、接点部材３１は、導通端子２７に接触する接点板３２と、接点板３２の縁部３４（図４（Ｂ），（Ｃ）参照）を保持する絶縁性の保持部材３３とを備える。
接点板３２は、導通端子２７に接触するとともに外部露出し、かつ、外部の接点端子２９（図２参照）に接触可能な矩形状の端子である。
【００１９】
保持部材３３は、外形が略矩形状に形成され、左右の側部３３Ａ，３３Ｂに左右のガイド部４４，４５をそれぞれ備え、外部に臨む側に外側矩形枠部位４６を備え、下筐体１２の内部空間３０（図２参照）に臨む側に内側門形枠部位４７（図４（Ａ）参照）を備える。
左右のガイド部４４，４５を、接点部材収納部３６の左右のガイド溝３８，３９（図３参照）にそれぞれ挿通することで、保持部材３３（すなわち、接点部材３１）が接点部材収納部３６に保持される。
【００２０】
図３に示すように、外側矩形枠部位４６は、外側開口部４６Ａを備え、この外側開口部４６Ａに接点板３２の外面３２Ａが臨むことで、外面３２Ａが外部に露出する。
よって、接点板３２の外面３２Ａが外部に露出することで、置台の接点端子２９（図２参照）に接触する。
これにより、接点板３２、導通端子２７、回路基板２５および給電端子（図示せず）を経て電源に電気的に接続して給電する。
【００２１】
さらに、外側矩形枠部位４６で、接点板３２のうち外部に臨む外面（片面）３２Ａの４辺の縁部３４Ａ（図４（Ｂ），（Ｃ）参照）を覆うことで接点板３２を補強する。
【００２２】
図４に示すように、内側門形枠部位４７は、内側開口部４７Ａを備え、この内側開口部４７Ａに接点板３２の内面３２Ｂが臨むことで、内面３２Ｂが下筐体１２の内部空間３０（図２参照）に露出する。
【００２３】
よって、接点板３２の内面３２Ｂが下筐体１２の内部空間３０に露出することで、導通端子２７（図２参照）に接触する。
さらに、内側門形枠部位４７で、内面３２Ｂの上縁および左右縁の３縁部３４Ｂを覆うことで接点板３２を補強する。
【００２４】
なお、接点板３２を保持部材３３に取り付ける方法としては、一例として、接点板３２を保持部材３３に圧入で取り付けたり、インサート形成で取り付けることが可能である。
【００２５】
以上説明したように、第１実施形態の携帯端末１０によれば、接点板３２の縁部３４を保持部材３３で保持することで、接点部材３１を掴みやすくできる。
これにより、接点部材３１（すなわち、接点板３２）を交換する際に、接点部材３１を本体２６から容易に取り外すことができ、新たな接点部材３１を本体２６に容易に取り付けることができる。
【００２６】
また、さらに、第１実施形態の携帯端末１０によれば、導通端子２７が接点板３２に対して弾性接触するバネ部４１を有しているため、導通端子２７および接点板３２の導通状態を確実に維持できるとともに、接点板３２を交換した後にも導通状態を確実に回復できる。
【００２７】
さらに、接点板３２の縁部３４を保持部材３３で保持することで、接点板３２の縁部３４を保持部材３３で補強して、接点板３２の強度を高めることができる。
【００２８】
加えて、保持部材３３を枠形状に形成し、枠形状の保持部材３３で、接点板３２の外面３２Ａの縁部３４Ａを覆う。
これにより、接点部材３１を一層掴みやすくするとともに、接点板３２の強度を一層高めることができる。
【００２９】
つぎに、第１実施形態の保持部材３３の変形例１〜３を図５（Ａ）〜図５（Ｃ）に基づいて説明する。なお、変形例１〜３の接触部材において第１実施形態と同一・類似部材については同じ符号を付して説明を省略する。
【００３０】
（変形例１）
図５（Ａ）に示す変形例１の保持部材５０は、第１実施形態の内側門形枠部位４７を内側矩形枠部位５１に代えたものである。
内側矩形枠部位５１を用いることで、内面３２Ｂの上縁および左右縁の３縁部３４Ｂに加えて、内面３２Ｂの下縁を覆うことができる。
このように、内側矩形枠部位５１で、接点板３２の内面３２Ｂの４辺の縁部３４Ｂを覆うことで接点板３２を一層補強する。
【００３１】
この内側矩形枠部位５１は、外側矩形枠部位４６と左右対称の部位である。よって、保持部材５０は、左右対称の部材となり、接点板３２の外面３２Ａおよび内面３２Ｂを同様に使用することができる。
例えば、保持部材５０を取り付ける際に、保持部材５０の向きを考慮する必要がないので作業性の向上が図れる。
【００３２】
加えて、変形例１の保持部材５０によれば、第１実施形態の携帯端末１０と同様の効果が得られる。
【００３３】
（変形例２）
図５（Ｂ）に示す変形例２の保持部材６０として、第１実施形態の矩形状の保持部材３３に代えて左右の保持バー６１，６２を用いたものである。
すなわち、左右の保持バー６１，６２を、接点板３２の縁部３４のうち、左右の縁部に設けることで、左右の保持バー６１，６２が接点部材（接点板３２）の着脱方向に沿って配置される。
【００３４】
接点板３２の左右の縁部に保持バー６１，６２を設けることで、接点部材を掴みやすくできる。これにより、接点板３２を交換する際に、接点部材（接点板３２）を本体２６から容易に取り外すことができ、新たな接点部材（接点板３２）を本体２６に容易に取り付けることができる。
加えて、左右の保持バー６１，６２を、接点板３２の縁部３４のうち、左右の縁部に設けることで接点板３２を補強できる。
【００３５】
（変形例３）
図５（Ｃ）に示す変形例３の保持部材７０として、第１実施形態の矩形状の保持部材３３に代えて摘み片を用いたものである。
すなわち、摘み片（保持部材）７０を、接点板３２の縁部３４のうち、上縁部（すなわち、手前側）に設けることで、摘み片７０が接点部材（接点板３２）の着脱方向の手前側に設けられている。
【００３６】
接点板３２の手前側の縁部に摘み片７０を設けることで、摘み片７０を掴みやすい位置に配置できる。これにより、接点板３２を交換する際に、接点部材（接点板３２）を本体２６から容易に取り外すことができ、新たな接点部材（接点板３２）を本体２６に容易に取り付けることができる。
加えて、摘み片７０を、接点板３２の縁部３４のうち、上縁部（すなわち、手前側）に設けることで接点板３２を補強できる。
【００３７】
つぎに、第２実施形態の携帯端末８０を図６に基づいて説明する。なお、第２実施形態の携帯端末８０において第１実施形態と同一・類似部材については同じ符号を付して説明を省略する。
（第２実施形態）
図６に示す第２実施形態の携帯端末８０は、接点部材３１の保持部材３３を下枠体１２の表カバー１２Ｂに固定したもので、その他の構成は第１実施形態と同様である。
【００３８】
具体的には、表カバー１２Ｂの下部に溝部１２Ｄを形成し、溝部１２Ｄに保持部材３３の上部３３Ｃを取り付ける。
そして、表カバー１２Ｂを下カバー１２Ｃに矢印のように合体させることにより、保持部材３３を接点部材収納部３６（図３参照）に収納して、接点部材３１の接点板３２を導通端子２７に接触させる。
【００３９】
一方、保持部材３３を接点部材収納部３６から取り外す場合には、表カバー１２Ｂを下カバー１２Ｃから外して表カバー１２Ｂおよび下カバー１２Ｃの合体を解除する。
表カバー１２Ｂとともに保持部材３３が接点部材収納部３６から取り出され、接点板３２と導通端子２７との接触が解除される。
そして、表カバー１２Ｂの溝部１２Ｄから接点部材３１を外して、接点部材３１の交換をおこなう。これにより、接点部材３１の交換をより一層簡単におこなうことができる。
【００４０】
加えて、第２実施形態の携帯端末８０によれば、第１実施形態の携帯端末１０と同様の効果が得られる。
【００４１】
なお、前記実施形態では、携帯端末として折畳み式の携帯電話を例示したが、これに限らないで、複数の筐体がスライド式、回転式により伸長配置される携帯電話、あるいは電話機能を備えない携帯端末全般に用いることも可能である。
また、前記実施形態では、接点板３２における少なくとも片面の縁部として接点板３２の外面３２Ａを例示したが、これに限らないで、接点板３２の内面３２Ｂとすることも可能である。
【００４２】
さらに、前記実施形態で例示した下筐体１２、バッテリコネクタ２０、回路基板２５、本体２６、導通端子２７、外部の接点端子２９、接点板３２、バネ部４１、保持部材３３等の形状は、これに限定するものではなく、適宜変更が可能である。
【産業上の利用可能性】
【００４３】
本発明は、筐体に収容された電源に給電するためのバッテリコネクタを備えた携帯端末への適用に好適である。
【図面の簡単な説明】
【００４４】
【図１】本発明に係る携帯端末（第１実施形態）を示す斜視図である。
【図２】図１のＡ−Ａ線断面図である。
【図３】第１実施形態に係る携帯端末の接点部材および本体を示す斜視図である。
【図４】図４（Ａ）は第１実施形態に係る携帯端末の接点部材を示す斜視図、図４（Ｂ）は図４（Ａ）のＢ−Ｂ線断面図、図４（Ｃ）は図４（Ａ）のＣ−Ｃ線断面図である。
【図５】図５（Ａ）は第１実施形態の変形例１を示す斜視図、図５（Ｂ）は第１実施形態の変形例２を示す斜視図、図５（Ｃ）は第１実施形態の変形例３を示す斜視図である。
【図６】本発明に係る携帯端末（第２実施形態）を示す断面図である。
【符号の説明】
【００４５】
１０，８０  携帯端末
１２  下筐体（筐体）
２０  バッテリコネクタ
２１  左給電端子部
２２  右給電端子部
２５  回路基板
２６  本体
２７  導通端子
２９  外部の接点端子
３１  接点部材
３２  接点板
３２Ａ  外面（片面）
３２Ｂ  内面
３３，５０，６０  保持部材
３４  縁部
３４Ａ  外面の縁部
３４Ｂ  内面の縁部
４１  バネ部
７０  保持部材（摘み片）
【図１】
0004570574.tif 000002
【図２】
0004570574.tif 000003
【図３】
0004570574.tif 000004
【図４】
0004570574.tif 000005
【図５】
0004570574.tif 000006
【図６】
0004570574.tif 000007